(57)【要約】【課題】検針、料金計算、集金の三段階の電力販売作業を省き、料金の未払い、滞納、遅収等々の集金事故の撲滅を図り、従来の電力使用後の販売完了でなく使用に先立って販売される電力使用券を購入し即ち電力販売会社に入金を済ませた券を電力量計量機（以下計量機と略す）にセットしセットされた券の計量機の駆動に依って充電された屋内配電線を利用して使用者は電力を購入し使用する装置である。【解決手段】電力使用券を購入し計量機にセットして屋内配電線を充電する屋内配電線の高い使用電流に耐える為の接点強化に電磁開閉器の力を利用する電力の不正使用防止の為、即ち偽造券の使用防止に検知装置を設ける券の再使用を防止する為に計量機通過後の券を二枚に切断する【選択図】図４
2010243510.tif 000002
【特許請求の範囲】
【請求項１】
積算電力計のｋｗｈ表示板の数字表示シャフトの軸の延長上に設けた歯車の回転力を数段のギアの組み合わせを経る事により電力販売各社固有の電力使用券を送る電力量計量機
【発明の詳細な説明】
【技術分野】
【０００１】本発明は電力量販売に関する
【背景の技術】
【０００２】本発明は販売電力量を電力使用券（以下券と略す）に置換し電力量表示装置に直結する歯車の力を数段のギアの連動に依って回転力を増強し、増強された回転力に従って正確、円滑に搬送される券により屋内配電線回路を開閉するスイッチの作動に依り使用される電力量を販売する装置である。
【０００３】現在の電力販売は通常、客（需要家）が電力を使用後、電力販売会社（東京電力九州電力等）が定期的に積算電力計（ＷＨＭ）を検針（メートル調べ）して使用量を算出、料金計算、集金の三段階を経て販売は完了する
【発明の開示】
【発明が解決しようとする課題】
【０００４】検針、料金計算、集金の三段階の電力販売作業を省き、料金の未払い、滞納、遅収等々の集金事故の撲滅を図り、従来の電力使用後の販売完了でなく使用に先立って販売される電力使用券を購入し即ち電力販売会社に入金を済ませた券を電力量計量機（以下計量機と略す）にセットしセットされた券の計量機の駆動に依って充電された屋内配電線を利用して使用者は電力を購入し使用する装置である。
【課題を解決するための手段】
【０００５】本発明は電力使用に先立って
▲１▼電力使用券を購入し
▲２▼計量機にセットして屋内配電線を充電する
▲３▼屋内配電線の高い使用電流に耐える為の接点強化に電磁開閉器の力を利用する
▲４▼電力の不正使用防止の為、即ち偽造券の使用防止に検知装置を設ける
▲５▼券の再使用を防止する為に計量機通過後の券を二枚に切断する
【発明の効果】
【０００６】本発明は、電力販売入金前の検針  料金計算  集金の三作業を省き、入金後に売電する装置である、従って料金の未収、滞納、遅収等々を防ぐばかりか盗難防止も兼ねる。
【発明を実施するための最良の形態】
【実施例】
【０００７】１  電力の使用者は券を購入し計量機に券をセットする事に依りスイッチＳ１が働き連動してＳ２も又働く結果、屋内配電線は充電状態となり電力の使用は可能である、が此の際偽造された券を使用すると送り歯車の券を送る駒送りの歯（以下駒歯と略）と券の駒穴（以下駒と略）とは噛み合わず券は駒歯に噛みこまれた儘に送られずに停止するがスイッチＳ１は閉じた儘の状態となり、連動するスイッチＳ２も又閉じた儘の状態に成り屋内配電線は充電の状態を保持する、結果として積算計のアルミの円盤は回転を止め正常な計量は不能と成りながらも電力使用は可能となる
２  此の不正使用防止を目的として偽造券の進入を防ぐ為に駒歯と同じ形状の駒歯
３  の検知歯車を前段に設ける、不正券をセットすると駒歯と偽造券の駒とは噛み合わず数ミリ送られた状態で停止する結果、券はスイッチＳ１までに届かずＳ１、Ｓ２共に作動せず結果屋内配電線は充電しない為に不正使用は防止される。
４  正規の券の確実、円滑な送りの動作をなす為に券の両側に電力各社毎に特有の送り駒を設け且つ券の中央部に券を二分する溝を設ける。
５  積算電力計のＷＨＭ数字表示機のシャフトを延長し延長上に駆動用の歯車を設けこの歯車の微弱な回転力を数段のギァ（歯車）を組み合わせて力を増強した送り歯車の駒歯をして券を送り、スイッチＳ１、Ｓ２を働かせる、が偽造券防止の為に電力販売会社は送り歯車の駒歯を左右非対象とした送り歯車の駒歯を設けこの形状に合わせた駒に依り券を送る  尚電力販売会社は送り歯車を数年毎に左右入れ替え又券の駒の左右を変える簡単な作業で偽造者に対抗出来る
６  計量機に券をセットする事によって計量機のスイッチＳ１は入り通電された弱小電流を、現在多くの家庭で使用される電流に耐える様に、連動して働く電磁開閉器の力を借りて強化されたＳ２が入りＳ２スイッチの接点の接合力は増強されスイッチの接点抵抗は小さくなり屋内配電線は充分通電、使用可能の状態（Ｏｎ）となり電気機器の使用は充分に使用可能となる、一定量の電力が消費され券が送られてしまうと当然にＳ１は切れ、連動してＳ２も又切れて電気器具の使用は不可能となる。
７  券が使用され終端が近かずくと予告灯回路スイッチＳ３が入り券の追加を促す
８  本機設置直後は通常予告灯回路のスイッチＳ３は開いているが券が送られ終末が近かずくとＳ３は閉じて予告灯が働き券の追加を呼びかける、追加券の追加までの間Ｓ４を開いて騒音其の他の雑音を防ぎ券の追加後には再びＳ４は閉じて置く
９  使用済みの券は計量機を通過直後に
商品名  レターオープナー  ＯＰ−９０
製作者  エルム工業株式会社
本社    東京都葛飾区西新小岩４−２１−２２
登録    ＰＡＴ  Ｐ
の切断機構を準用した切断機を直下に設備した切断機に依って二分され再使用は不能となり、電力会社はこの券を回収、二分された片の夫々に記載された番号等に依り券を元の形に照合復元された券を資料として販売電力量及び販売料金の管理等が出来る。
【図面の簡単な説明】
【０００８】
【図１】電力使用券平面図及び正面図  １  計量機の送り駒歯に対応してを券を送る駒  ２  中央に二分する溝
【図２】電力量表示装置及び延長軸に直結する歯車図  ３  延長された積算電力計のＫＷｈ表示シャフト軸  ４  ギア駆動用の歯車
【図３】連動ギアと検知歯車、送り歯車及び各スイッチの側面図  ４  ギア駆動用の歯車  ５  券の検知歯車  ６  回転力増強の組み合わせ歯車  ７  券の送り歯車と駒歯  １０  券投入口  Ｓ１  スイッチＳ１  Ｓ３  スイッチＳ３
【図４】連動歯車、検知歯車の平面図  ３  延長された積算電力計のＫＷｈ表示シャフト軸  ４  ギア駆動用の歯車  ５  券の検知歯車  ６  回転力増強の組み合わせ歯車  ７  券の送り歯車  １０  券投入口  Ｓ１  スイッチＳ１  Ｓ３  スイッチＳ３
【図５】電磁開閉器の閉路作動図  ８  電磁コイル  ９  絶縁体  １３  屋内配電線回路  Ｓ２  スイッチＳ２
【図６】送り歯車を券が通過時の各スイッチの状態図  ７  送り歯車  ８  電磁コイル回路  １０  券投入口  １４  予告灯回路  Ｓ１  スイッチＳ１  Ｓ３  スイッチＳ３
【図７】配置図  ８  電磁コイル  １０  券投入口  １１  積算電力計  １２  切断機  １３  屋内配電線回路  １４  予告灯回路  Ｓ１  スイッチＳ１  Ｓ２  スイッチＳ２  Ｓ３  スイッチＳ３  Ｓ４  スイッチＳ４
【図８】電気系統図  ８  電磁コイル  １１  積算電力計  １３  屋内配電線  １４  予告灯回路  Ｓ１  スイッチＳ１  Ｓ２  スイッチＳ２  Ｓ３  スイッチＳ３  Ｓ４  スイッチＳ４
【図１】
2010243510.tif 000003
【図２】
2010243510.tif 000004
【図３】
2010243510.tif 000005
【図４】
2010243510.tif 000006
【図５】
2010243510.tif 000007
【図６】
2010243510.tif 000008
【図７】
2010243510.tif 000009
【図８】
2010243510.tif 000010